(57)【要約】【課題】輝度の低下を極力抑えつつ、輝度むらを補正できる表示装置を提供する。【解決手段】表示装置１は、複数の基準輝度と対応する複数の基準階調値によって階調範囲が区分された区分階調領域に対応する複数段階の振幅と、区分階調領域がさらに細分化された細分化階調領域に対応するパルス幅とを有する駆動信号によって駆動される複数の画素を有する画素配列部１１と、複数の基準階調値と対応し、且つ特定画素の輝度を複数の基準輝度と対応させるための複数の特定画素基準階調値に基づき算出された係数を用いて、入力部５０から入力される映像信号を補正する輝度むら補正回路６と、補正された映像信号に基づき、画素を駆動する駆動信号を生成する信号線ドライバ７とを備える。【選択図】図１
2006106147.tif 000002
【特許請求の範囲】
【請求項１】
複数の基準輝度と対応する複数の基準階調値によって階調範囲が区分された区分諧調領域に対応する複数段階の振幅と、前記区分階調領域がさらに細分化された細分化階調領域に対応するパルス幅と、を有する駆動信号によって駆動される複数の画素を有する表示部と、
階調を表す情報を含む映像信号を入力する入力部と、
前記複数の基準階調値と対応し、且つ特定画素の輝度を前記複数の基準輝度と対応させるための複数の特定画素基準階調値に基づき算出された係数を用いて、前記入力される映像信号を補正する映像信号補正部と、
前記映像信号補正部で補正される映像信号に基づき、画素を駆動する駆動信号を生成する駆動信号生成部と、
を具備することを特徴とする表示装置。
【請求項２】
前記係数が、前記複数の特定画素基準階調値で区分される領域それぞれに対応する第１、第２の係数を含み、
前記映像信号補正部が、前記入力される映像信号に前記第１の係数を乗算し、前記第２の係数を加算することを特徴とする請求項１記載の表示装置。
【請求項３】
前記特定画素基準階調値が、前記複数の基準階調値と、前記複数の基準輝度と、前記複数段階の振幅に対応する前記特定画素の複数の輝度と、に基づき算出されることを特徴とする請求項１記載の表示装置。
【請求項４】
最大の振幅に対応する基準輝度が、前記最大の振幅の駆動信号で前記複数画素を駆動したときの画素の最小輝度であることを特徴とする請求項１記載の表示装置。
【請求項５】
最大の振幅に対応する基準輝度が、前記最大の振幅の駆動信号で前記複数画素を駆動したときの画素の最小輝度より大きいことを特徴とする請求項１記載の表示装置。
【請求項６】
前記映像信号補正部で補正された映像信号の値が補正前の映像信号の値より大きいことを特徴とする請求項１記載の表示装置。
【請求項７】
複数の基準輝度と対応する複数の基準階調値によって階調範囲が区分された区分階調領域に対応する複数段階の振幅と、前記区分階調領域がさらに細分化された細分化階調領域に対応するパルス幅と、を有する駆動信号によって駆動される複数の画素を有する表示部における、階調を表す情報を含む映像信号を入力するステップと、
前記複数の基準階調値と対応し、且つ特定画素の輝度を前記複数の基準輝度と対応させるための複数の特定画素基準階調値に基づき算出された係数を用いて、前記入力された映像信号を補正するステップと、
前記補正された映像信号に基づき、画素を駆動する駆動信号を生成するステップと、
を有することを特徴とする表示方法。
【請求項８】
前記係数が、前記複数の特定画素基準階調値で区分される領域それぞれに対応する第１、第２の係数を含み、
前記入力された映像信号を補正するステップでは、前記入力される映像信号に前記第１の係数を乗算し、前記第２の係数を加算することを特徴とする請求項７記載の表示方法。
【請求項９】
前記特定画素基準階調値が、前記複数の基準階調値と、前記複数の基準輝度と、前記複数段階の振幅に対応する前記特定画素の複数の輝度と、に基づき算出されることを特徴とする請求項７記載の表示方法。
【請求項１０】
最大の振幅に対応する基準輝度が、前記最大の振幅の駆動信号で前記複数画素を駆動したときの画素の最小輝度であることを特徴とする請求項７記載の表示方法。
【請求項１１】
最大の振幅に対応する基準輝度が、前記最大の振幅の駆動信号で前記複数画素を駆動したときの画素の最小輝度より大きいことを特徴とする請求項７記載の表示方法。
【請求項１２】
前記入力された映像信号を補正するステップで補正された映像信号の値が補正前の映像信号の値より大きいことを特徴とする請求項１記載の表示方法。
【発明の詳細な説明】
【技術分野】
【０００１】
本発明は、例えば平面ディスプレイなどを備える表示装置及び表示方法に関する。
【背景技術】
【０００２】
従来、ＦＥＤ（フィールド・エミッション・ディスプレイ）などの平面ディスプレイを備える表示装置においては、発光素子間の輝度特性のばらつきによって、輝度むらが生じるという課題があり、この課題の改善を図った特許文献が公知である（例えば、特許文献１参照）。
【０００３】
この文献の表示装置では、平面ディスプレイの輝度のばらつきを低減させるために、輝度が相対的に高い画素に対しては、そのレベルを下げて表示を行うように演算を行っている。
【特許文献１】特開２００４−１５７３０９号公報
【発明の開示】
【発明が解決しようとする課題】
【０００４】
しかしながら、上記文献の装置の場合、輝度が高い画素を輝度が低い画素と同じレベルで発光させるように補正を行っているため、輝度自体の低下が懸念される。つまり、全画素における輝度のばらつき（分布）が大きくなる程、輝度の低下が顕著に表れることになる。
【０００５】
そこで本発明は、このような課題を解決するためになされたもので、輝度の低下を極力抑えつつ、輝度むらを補正することができる表示装置及び表示方法の提供を目的とする。
【課題を解決するための手段】
【０００６】
上記目的を達成するために、本発明に係る表示装置は、複数の基準輝度と対応する複数の基準階調値によって階調範囲が区分された区分諧調領域に対応する複数段階の振幅と、前記区分階調領域がさらに細分化された細分化階調領域に対応するパルス幅と、を有する駆動信号によって駆動される複数の画素を有する表示部と、階調を表す情報を含む映像信号を入力する入力部と、前記複数の基準階調値と対応し、且つ特定画素の輝度を前記複数の基準輝度と対応させるための複数の特定画素基準階調値に基づき算出された係数を用いて、前記入力される映像信号を補正する映像信号補正部と、前記映像信号補正部で補正される映像信号に基づき、画素を駆動する駆動信号を生成する駆動信号生成部と、を具備することを特徴とする。
【発明の効果】
【０００７】
このように本発明によれば、輝度の低下を極力抑えつつ、輝度のばらつきを補正することが可能な表示装置及び表示方法を提供することができる。
【発明を実施するための最良の形態】
【０００８】
以下、本発明を実施するための最良の形態を図面に基づき説明する。
図１は、本発明の実施形態に係る表示装置を機能的に示すブロック図、図２は、この表示装置の画素配列部の画素を駆動するパルス幅について説明するための図、図３は、この表示装置の画素配列部の画素を駆動する駆動電圧Vxと輝度Lの関係を説明するための図を表している。
また、図４は、パルス幅変調と振幅変調を併用した駆動についての説明をするための図、図５は、この表示装置の画素配列部の画素毎の輝度のばらつきを示す図、図６は、電圧V１〜V4で、ある一定のパルス幅で駆動した際の画素毎の輝度のばらつきを示す図である。
【０００９】
図１に示すように、この実施形態の表示装置１は、例えばフィールド・エミッション・ディスプレイ（ＦＥＤ）などの平面ディスプレイを有するものであって、主に映像表示部３と信号線ドライバ駆動回路２とから構成されている。
【００１０】
信号線ドライバ回路２には、例えば、映像信号処理回路（図示せず）などによって、コントラスト調整、ブライト調整、輪郭強調などの高画質化処理が行われたＲ，Ｇ，Ｂの映像データが入力される。この映像データは、信号線ドライバ回路２を構成するＲＧＢ入力回路５を介して輝度むら補正回路６に入力される。輝度むら補正回路６は、図示しないメモリなどに記憶された補正データを用い、映像データを演算処理する。ここで、補正データを用いるこの映像データの処理は、ソフトウェアにより実現されてもよい。
【００１１】
上記映像表示部３は、駆動信号生成部として機能する信号線ドライバ（Ｘドライバ）７及び走査線ドライバ（Ｙドライバ）１０と、上記平面ディスプレイなどである画素配列部１１とを備える。信号線ドライバ７は、入力信号に対応する複数段階の振幅を設定する電圧設定部８と、パルス幅を設定するパルス幅設定部９とを有する。画素配列部１１は、複数の基準輝度と対応する複数の基準階調値によって階調範囲が区分された区分階調領域に対応する複数段階の振幅と、区分階調領域がさらに細分化された細分化階調領域に対応するパルス幅とを有する駆動信号によって駆動される複数の画素を有する。すなわち、輝度むら補正回路６から出力されたＲ，Ｇ，Ｂの各映像データは、平面表示パネル部３の信号線ドライバ７に入力される。信号線ドライバ７には、１走査ライン分の各画素に対応する映像データが１水平走査期間内に入力される。信号線ドライバ７に入力された信号は、１走査ライン分のデータを保持し、１走査ライン分の画素に対し一斉に供給される。この際、各画素に与えられる信号は、パルス幅及び電圧値（振幅値）が、入力される映像データに応じて設定される。
【００１２】
例えば、図４（ａ）〜図４（ｄ）に示すように、信号線ドライバ７は、電圧振幅２ビット、パルス幅８ビットの計１０ビットの出力が可能であるとすると、図４（ａ）に示すように、入力が０〜２５６のときは、Ｖ０〜Ｖ１のパルス幅の変化が得られ、また、図４（ｂ）に示すように、入力が２５６〜５１２のときでは、Ｖ１〜Ｖ２のパルス幅の変化が得られる。さらに、図４（ｃ）に示すように、入力が５１２〜７６８のときでは、Ｖ２〜Ｖ３のパルス幅の変化が得られ、また、図４（ｄ）に示すように、入力が７６８〜１０２３のときでは、Ｖ３〜Ｖ４のパルス幅の変化が得られる。
【００１３】
以降、本実施形態では、Ｖ１〜Ｖ４のパルス幅を２５６段階として説明するが、本発明は、必ずしもこの構成に限定されるものではない。また、ここで、図１においては、輝度むら補正回路６は、平面表示パネル部３の外部に図示されているが、輝度むら補正回路６は、平面表示パネル部３の内部に組み込まれて構成されるものであってもよい。
【００１４】
走査線ドライバ１０は、図２（ｂ）に示すように、水平同期信号に同期して、一番上のラインから順に各ラインの負の電圧で走査を行う。信号線ドライバ７、走査線ドライバ１０に接続される信号線と走査線との各交点には、マトリクス状に複数の発光素子が配置され、それらの発光素子に対し、Ｖｆ＝（Ｖｙ＋Ｖｘ）の駆動電圧を与えることで発光が起こる。
【００１５】
図２（ｂ）に示すように、ある画素に、信号線ドライバ７により、電圧Ｖｘ、最大パルス幅２５５ａの信号ｍが加えられ、走査線ドライバ１０より、電圧Ｖｙ、最大パルス幅２５５ａの信号ｎが加えられたとする。この際、Ｖｘに対し、輝度Ｌは、図２（ｃ）に示すような特性が得られたとする。各画素はＶｘの振幅とパルス幅に応じて発光する。輝度はパルス幅にほぼ比例するため、図２（ａ）に示すように、レベルが２５５（最大パルス幅が２５５ａ）のときの輝度をＬとすると、レベルが１（最小パルス幅がａ）のとき、輝度はＬ／２５５となる。
【００１６】
ここで、図２（ｃ）に示すＶｘについては、図４（ａ）〜図４（ｄ）に示すように、Ｖ１〜Ｖ４の４段階の電圧設定を行うが、ここでは、図３に示すように、Ｖ１のときの輝度Ｌ１、Ｖ２のときの輝度Ｌ２、Ｖ３のときの輝度Ｌ３、Ｖ４のときの輝度Ｌ４が、それぞれＬ２＝２Ｌ１、Ｌ３＝３Ｌ１、Ｌ４＝３Ｌ１となるように、Ｖ１〜Ｖ４の電圧設定を行うものとする。
【００１７】
図４（ａ）に示すように、信号線ドライバ７の入力が、０〜２５６のとき、パルス幅変調により、輝度０〜Ｌ１まで得ることができ、また、図４（ｂ）に示すように、信号線ドライバ７の入力が、２５７〜５１２のとき、輝度Ｌ１０〜Ｌ２まで得ることができる。さらに、図４（ｃ）に示すように、信号線ドライバ７の入力が、５１３〜７６８のとき、輝度Ｌ２〜Ｌ３まで得ることができ、また、図４（ｄ）に示すように、信号線ドライバ７の入力が、７６９〜１０２３のとき、輝度Ｌ３〜Ｌ４まで得ることができる。
【００１８】
しかしながら、図２（ｃ）に示す輝度特性は、画素毎に多少異なるため、Ｖ１〜Ｖ４の各電圧における輝度Ｌ１〜Ｌ４も画素毎に異なる。このため、輝度むらが生じる。図６（ａ）〜図６（ｄ）には、Ｖ１〜Ｖ４における輝度のばらつきの分布例を示す。この分布特性は、Ｌ１、Ｌ２、Ｌ３、Ｌ４で分布が異なる。
【００１９】
したがって、一つの画素をみた場合、信号線ドライバ７の入力（輝度むら補正回路６の出力）０〜２５６（第１の区分階調領域）まで、２５７〜５１２（第２の区分階調領域）まで、５１３〜７６８（第３の区分階調領域）まで、７６９〜１０２３（第４の区分階調領域）までのそれぞれの領域での入力に対する輝度の変化率（傾斜）がそれぞれ異なる。
【００２０】
ここで、画素間のばらつきを補正するために、画素間の補正データを求める。この補正データは、例えば、画素毎の輝度（カンデラ）を測定しておき、そのばらつき（分布）を求める。さらに、相対的に、輝度の高い画素を輝度の低い基準画素の方へ合わせるように補正データを作成するのである。
【００２１】
以下、本実施形態の画像処理装置１が備える、輝度の低下を抑えつつ輝度のばらつきを補正する機能を上記図１ないし図６に加え、図７及び図８に基づき説明を行う。ここで、図７は、輝度むら補正回路６の、ある画素における補正前後の映像信号の入出力特性を示す図、図８は、輝度むら補正回路の構成を機能的に示すブロック図である。
【００２２】
図６（ａ）〜図６（ｄ）に示すような輝度分布の場合、Ｌ１の輝度のバラツキ補正を考慮し、Ｌ１〜Ｌ４において、輝度０．５を基準として補正を行った場合、つまり相対的に輝度が高い画素に対してはレベルを下げて表示を行うように演算を行った場合、輝度の著しい低下が生じてしまうことになる。
【００２３】
そこで、本実施形態の画像処理装置１では、ある画素Ａが、例えば輝度Ｌ１が「０．５」、輝度Ｌ２が「０．６」、輝度Ｌ３が「０．７」、輝度Ｌ４が「０．８」であって、この画素Ａの補正の基準となる画素を０．８とし、図８に示すような入出力特性を持つ補正を行えるように、輝度むら補正回路６が構成されている。すなわち、映像信号補正部として機能する輝度むら補正回路６は、図８に示すように、補正データメモリ１２、２２、２４、３２、３４、４２、４４と、ＲＧＢ入力回路５から出力された信号が入力される入力部５０と、補正部５１、５２、５３、５４、輝度むらの補正データを選択的に出力するセレクタ５５とを備える。
【００２４】
詳細には、上記の値「０．８」は、最大の振幅に対応する基準輝度が、最大の振幅の駆動信号で複数画素を駆動したときの画素の最小輝度である。また、輝度むら補正回路６は、後述するように、複数の基準階調値（ｙ１＝２５６，ｙ２＝５１２，ｙ３＝７６８，ｙ４＝１０２３）と対応し、且つ特定画素の輝度を複数の基準輝度と対応させるための複数の特定画素基準階調値（後記のｘ１＝１６０、ｘ２＝３８４、ｘ３＝６７２、ｘ４＝１０２３に基づき算出された第１の係数（補正データ１ａ、２ａ、３ａ、４ａ）、及び第２の係数（補正データ２ｂ、３ｂ、４ｂ）を用い、入力部５０から入力される映像信号を補正する。ここで、上記特定画素基準階調値は、複数の基準階調値と、複数の基準輝度と、複数段階の振幅に対応する特定画素の複数の輝度とに基づいて算出される。また上記第１及び第２の係数は、複数の特定画素基準階調値で区分される領域それぞれに対応する。
【００２５】
ここで、第１の係数である補正データ１ａ〜４ａ、及び第２の係数である補正データ２ｂ〜４ｂの計算方法について説明する。
つまり、振幅（Ｖ１〜Ｖ４）によって輝度分布データ（Ｌ１〜Ｌ４）が異なるため、振幅の変化点ｙｎに対応する入力値ｘ１を求める。各変化点（ｘｎ，ｙｎ）の間は、パルス幅のみが変化し、輝度はパルス幅に比例して変動するため、図７に示すように直線的に変化する。
【００２６】
すなわち、全ての画素（ｘｎ，ｙｎ）における輝度のバラツキをなくし、［（ｘｎ−１，ｙｎ−１）：（ｘｎ，ｙｎ）］間は、パルス幅に比例して輝度が変化するため、入力に比例した出力とすれば、全入力階調に応じて補正が可能である。
基準階調値である出力データをそれぞれ、ｙ１＝２５６，ｙ２＝５１２，ｙ３＝７６８，ｙ４＝１０２３とすると、特定画素基準階調値としての入力データは、
ｘ１＝２５６（ｙ１）×０．５（Ｌ１）／０．８（基準となる輝度）＝１６０
ｘ２＝５１２（ｙ２）×０．６（Ｌ２）／０．８（基準となる輝度）＝３８４
ｘ３＝７６８（ｙ３）×０．７（Ｌ３）／０．８（基準となる輝度）＝６７２
ｘ４＝１０２３（ｙ４）×０．８（Ｌ４）／０．８（基準となる輝度）＝１０２３
となる。
【００２７】
上記図７は、入力データｘ１〜ｘ４の値と対応する出力データｙ１〜ｙ４の値をプロットしたものである。ここで、各プロット間における補正データを考察してみると、補正データは、傾きを持ち、また切片を有する。以下、その傾きと切片を求めた例を示す。
【００２８】
補正データ１ａ〜４ａは、（Ｘｎ−１，Ｙｎ−１）、（Ｘｎ，Ｙｎ）間の傾きを表し、補正データ２ｂ〜４ｂは、切片を表している。
ここで、補正データ１ａ〜４ａを求めると、
補正データ１ａ＝１０２３×（２５６（ｙ１）−０）／（１６０（ｘ１）−０）＝１６３７
補正データ２ａ＝１０２３×（５１２（ｙ２）−２５６（ｙ１））／（３８４（ｘ２）−１６０（ｘ１））＝１１６９
補正データ３ａ＝１０２３×（７６８（ｙ３）―５１２（ｙ２））／（６７２（ｘ３）―３８４（ｘ２））＝９０９
補正データ４ａ＝１０２３×（１０２３（ｙ４）―７６８（ｙ３））／（１０２３（ｘ４）―６７２（ｘ３））＝７４６
となる
ここで、上記の式で１０２３を乗算しているのは、傾きが１の画素（合わせ込むべき画素）の補正データを１０２３（１０ビット表示で最大）とするためであるが、補正データは、その他の領域の輝度によっても左右され、傾きが１よりも小さい画素も存在するため、１１ビットで補正データを持っている。
【００２９】
また、上記切片として得られる補正データ２ｂ〜４ｂは、切片（図７の出力軸（ｙ軸）との交点）を求めると、
補正データ２ｂ＝５１２（ｙ２）−１１６９×３８４（ｘ２）／１０２４＝７４
補正データ３ｂ＝７６８（ｙ３）−９０９×６７２（ｘ３）／１０２４＝１７１
補正データ４ｂ＝１０２３（ｙ４）−７４６×１０２３（ｘ４）／１０２４＝２７８
となる。
【００３０】
ここで、上記図８に示す輝度むら補正回路６は、Ｒ，Ｇ，Ｂの映像データのうちの１つの系を示している。乗算器１４は、入力データ１０ビットと補正データ１ａの１０ビットを乗算し、その出力２０ビット中の上位１０ビットを出力する。また、乗算器２１、３１、４１は、入力データ１０ビットと補正データ２ａ、補正データ３ａ、補正データ４ａの１１ビットをそれぞれ除算し、その出力２１ビット中の上位１１ビットを出力する。ここで、補正データ１ａ＝１６３７である。したがって、入出力の関係は、
出力データＹ＝（傾き）×（入力データＸ）＋（切片）であり、画素Ａの場合、
補正部５１では、
Ｍ１＝１６３７×（入力データＸ）／１０２４＋０
補正部５２では、
Ｍ２＝１１６９×（入力データＸ）／１０２４＋７４
補正部５３では、
Ｍ３＝９０９×（入力データＸ）／１０２４＋１７１
補正部５４では、
Ｍ４＝７４６×（入力データＸ）／１０２４＋２７８
と演算される。
ここで、上記の計算式において、値１０２４で除算を行っている理由は、乗算器１４、２１、３１、４１の各出力の下位１０ビットを切り捨てているためである。
【００３１】
すなわち、入力部５０を通じて入力される１０ビットのＲ、Ｇ、Ｂの階調データを含む映像信号に対して１１ビットの補正データ１ａ〜４ａを乗算し、さらに、その出力２１ビット中の１１ビットに対し補正データ２ｂ〜４ｂを加算して上記映像信号を補正する。
【００３２】
ここで、補正部５１では、乗算器１４において、入力データに対して、補正データメモリ３２からの補正データ１ａが乗算される。また、補正部５２では、乗算器２１において、入力データに対して、補正データメモリ２２からの補正データ２ａが乗算され、その結果は、加算器２３に導かれる。加算器２３では、乗算結果に対し、補正データメモリ２４からの補正データ２ｂ（値７４）が加算される。
【００３３】
補正部５３では、乗算器３１において、入力データに対して、補正データメモリ３２からの補正データ３ａが乗算され、その結果は、加算器３３に導かれる。加算器４３では、乗算結果に対し、補正データメモリ３４からの補正データ３ｂ（値１７１）が加算される。
【００３４】
補正部５４では、乗算器４１において、入力データに対して、補正データメモリ４２からの補正データ４ａが乗算され、その結果は、加算器４３に導かれる。加算器４３では、乗算結果に対し、補正データメモリ４４からの加算用の補正データ４ｂ（値２７８）が加算されている。
【００３５】
上記の乗算器１４の出力Ｍ１、加算器２３の出力Ｍ２、加算器３３の出力Ｍ３、加算器４３の出力Ｍ４は、セレクタ５５に入力される。このセレクタ５５は、各輝度領域に対応した値のデータを選択して出力する。すなわち、セレクタ５５は、Ｍ１≦２５６（ｙ１）のときは、Ｍ１を選択して出力し、また、２５７≦Ｍ２≦５１２（ｙ２）のときは、Ｍ２を選択して出力する。さらに、セレクタ５５は、５１７≦Ｍ３≦７６８（ｙ３）のときは、Ｍ３を選択して出力し、７６９≦Ｍ４（ｙ４）のときは、Ｍ４を選択して出力する。ここで、セレクタ５５により選択的に出力される例えばＲの映像データは、図１に示す信号線ドライバ７に入力される。さらに、他のＧ、Ｂの映像データも同様な処理が行われて、信号線ドライバ７に入力される。
【００３６】
したがって、本実施形態の表示装置１では、上記のように乗算用の補正データ１ａ〜４ａと加算用の補正データ２ｂ〜４ｂを用いて、映像データを補正し、輝度の低下を極力抑えつつ輝度のばらつきを補正（低減）することができる。また、本実施形態の表示装置１では、基準となる輝度として、Ｌ１、Ｌ２などに対応する画素毎の輝度のばらつきよりも、画素毎の輝度のばらつきが少ないことが判っているＬ４に対応する輝度分布の最小輝度０．８を基準輝度として選択し、これを基に輝度むらの補正を行うようにしているので、実質的に、輝度むら補正回路６で補正された映像信号（映像データ）の値が補正前の映像信号の値より大きな値で出力される（図７参照）。これにより、輝度むらが視覚的にわかり難い、明るい画素部分の補正が簡素化される一方、輝度むらが視覚的にわかり易い、暗い画素部分の補正が綿密に行われることになる。
【００３７】
以上、本発明を実施の形態により具体的に説明したが、本発明は前記実施形態にのみ限定されるものではなく、その要旨を逸脱しない範囲で種々変更可能である。すなわち、上記実施形態で説明した各回路の構成や、補正データの作成方法、使用データ数は、必ずしもこの構成に限定されるものではなく、補正データは、例えば各々独立したデータでなく、他の補正データから所定の演算などにより求めてもよい。
【００３８】
また、上記した実施形態以上に輝度を必要とする場合、最大の振幅に対応する基準輝度が、最大の振幅の駆動信号で画素配列部１１の複数画素を駆動したときの画素の上記した最小輝度「０．８」より大きい値、例えば「０．９」を基準の輝度として、補正を行うようにしてもよい。この場合、上記図７に代えて、図９に示すような、輝度むら補正回路６における、ある画素の補正前後の映像信号の入出力特性が得られる。ここで、Ｍ４が１０２３以上の場合は１０２３を出力する。詳細には、この画素Ａに対しては、入力ｘ４〜１０２３の間は補正が多少ずれることとなるが、本来、テレビ信号などでは、入力が最大レベル付近となるようなものが少ないことと、映像データのレベルが高い場合  平均輝度レベルを一定値以下に制限するＡＢＬ（Automatic Brightness Limiter）機能などにより、レベルが下がったものが入力となるため、この付近のデータが入力となるケースが極めて少ない。また、図６に示したように、この基準値０．９以下の画素が少数であり、視覚的に輝度のばらつきもわかり難いため、輝度を上昇させたことにより大きな利点を得ることができる。
【図面の簡単な説明】
【００３９】
【図１】本発明の実施形態に係る表示装置を機能的に示すブロック図。
【図２】図１の表示装置の画素配列部の画素を駆動する複数段階の振幅、パルス幅について説明を行うための図。
【図３】この表示装置の画素配列部の画素を駆動する駆動電圧Vxと輝度Lの関係を説明するための図。
【図４】パルス幅変調と振幅変調を併用した駆動についての説明をするための図。
【図５】図１の映像表示装置が備える画素配列部の画素毎の輝度のばらつきを示す図。
【図６】電圧V１〜V4で、ある一定のパルス幅で駆動した際の画素毎の輝度のばらつきを示す図。
【図７】図１の映像表示装置が備える輝度むら補正回路６の、ある画素における補正前後の映像信号の入出力特性を示す図。
【図８】図１の映像表示装置が備える輝度むら補正回路の構成を機能的に示すブロック図。
【図９】図７と特性の異なる、ある画素における補正前後の映像信号の入出力特性を示す図。
【符号の説明】
【００４０】
１…表示装置、２…信号線ドライバ駆動回路、３…映像表示部、５…ＲＧＢ入力回路、６…輝度むら補正回路、７…信号線ドライバ、８…電圧設定部、９…パルス幅設定部、１０…走査線ドライバ、１１…画素配列部、１２，２２，２４，３２，３４，４２，４４…補正データメモリ、５０…入力部、５１，５２，５３，５４…補正部、５５…セレクタ。
【図１】
2006106147.tif 000003
【図２】
2006106147.tif 000004
【図３】
2006106147.tif 000005
【図４】
2006106147.tif 000006
【図５】
2006106147.tif 000007
【図６】
2006106147.tif 000008
【図７】
2006106147.tif 000009
【図８】
2006106147.tif 000010
【図９】
2006106147.tif 000011